【事件の表示】
　平成１０年特許願第　　３７５４号「スロットマシン」拒絶査定不服審判事件〔平成１１年　７月２７日出願公開、特開平１１−１９７２９０〕について、次のとおり審決する。
【結　論】
　本件審判の請求は、成り立たない。
【理　由】
１．手続の経緯
　本願は、平成１０年１月１２日の出願であって、平成１３年６月４日付けで拒絶査定がなされ、これに対し、同年７月９日に拒絶査定に対する審判請求がなされるとともに、同年８月８日付けで手続補正がなされたものである。
　
２．平成１３年８月８日付けの手続補正についての補正却下の決定
［補正却下の決定の結論］
　平成１３年８月８日付けの手続補正（以下、「本件補正」という。）を却下する。
［理由］
(1)補正後の本願発明
　本件補正により、特許請求の範囲の請求項１は、次のとおりに補正された。
「【請求項１】　リールユニットと、
　前記リールユニットを照明するリール照明装置と、
　前記リールユニット及び前記リール照明装置を制御する遊技制御装置とを備え、
　前記リール照明装置には、異なる色の複数本の冷陰極管を含み、
　前記遊技制御装置には、遊技状態を判定するための遊技状態判定手段を含むスロットマシンにおいて、
　前記遊技制御装置には、前記遊技状態判定手段の判定結果にもとづいて、前記複数本の冷陰極管のうち、少なくとも１本の冷陰極管を点滅させ、遊技状態を遊技者に報知するための照明点滅手段を含むと共に、
　前記照明点滅手段による前記冷陰極管の点滅間隔を変化させるための点滅間隔変更手段を含
み、　少なくとも遊技状態判定手段によって、ビッグボーナスゲームへ移行するフラグが立った際に、照明点灯手段を作動させるように形成した
　上記補正は、請求項１に記載した発明を特定するために必要な事項である「スロットマシン」を「少なくとも遊技状態判定手段によって、ビッグボーナスゲームへ移行するフラグが立った際に、照明点灯手段を作動させるように形成した」と限定するものであって、特許法第１７条の２第４項第２号に掲げる特許請求の範囲の減縮を目的とする。
　そこで、本件補正後の前記請求項１に記載された発明（以下、本願補正発明という。）が特許出願の際独立して特許を受けることができるものであるかについて以下検討する。
　
(2)先願明細書記載の発明
　本願の出願の日前の他の特許出願であつて当該特許出願後に発行された特願平９−２９６１４９号（特開平１１ー１１４１３６号参照）の願書に最初に添付した明細書又は図面（以下、「先願明細書」という。）には、以下のことが記載されている。
「【０００１】【産業上の利用分野】この発明は、ゲーム開始操作後に機械内部で抽選処理を行い、抽選が当たったとき、特定の入賞が発生しやすいようにリールの停止制御を行うようにしたスロットマシンに関するもので、特にこの発明は、抽選処理により抽選が当たったことを遊戯者へ報知するための抽選当り報知方法およびその方法が実施されたスロットマシンに関する。」、
「【００２４】図示していないが、各リール９ａ，９ｂ，９ｃの複数種のシンボルの中には、・・・通常のゲームにおいてボーナス入賞を成立させるシンボル（以下「ボーナス入賞シンボル」という。）・・・などが含まれる。」、
「【００２６】・・・また有効化された停止ライン上に、「ボーナス入賞シンボル」の組み合わせが成立したとき、・・・通常のゲームから複数回のボーナスゲームへ移行する。・・・」、
「【００２８】前記本体部１の内部の中央のパネル２ｂの内側には、各リール９ａ，９ｂ，９ｃの周面に照明を施すための照明系１１が設けられる。・・・各照明装置１１ａ，１１ｂは、各リール９ａ，９ｂ，９ｃの前方の斜め上方位置に配置される。・・・」、
「【００２９】・・・また第１，第２の各照明装置１１ａ，１１ｂに異なる色の光を発する発光ダイオードを用いてもよい。・・・」、
「【００３１】このスロットマシンでは、前記制御部２０は、ゲーム開始操作後に抽選処理を実行し、抽選処理により抽選が当たったとき、遊戯者へ抽選当りを報知するために第１，第２の各照明装置１１ａ，１１ｂの動作を図３のタイムチャートで示すように制御すると共に、有効化された停止ライン上に「ボーナス入賞シンボル」の組み合わせが成立するよう各リール９ａ，９ｂ，９ｃの停止制御を行う。・・・」、
「【００３６】第２実施例も、第１の照明装置１１ａが蛍光灯、第２の照明装置１１ｂが複数の豆ランプであり、第２の照明装置１１ｂは、電源がオンで点灯動作し、電源がオフになるまで、点灯状態を維持する（図３（１）参照）。第１の照明装置１１ｂは、電源がオンで点灯動作し、通常のゲームにおいて、抽選処理により抽選が当たったとき、そのゲームでボーナス入賞が成立すれば、一旦消灯動作した後にすぐに点灯動作する（図３（３）参照）。抽選は当たったが、そのゲームでボーナス入賞が成立しなかったときは、第１の照明装置１１ｂは消灯動作し、以後のゲームでボーナス入賞が成立したときに点灯動作する（図３（４）参照）。【００３７】この実施例によれば、抽選が当たり、かつそのゲームでボーナス入賞が成立しなかったとき、以後のゲームでボーナス入賞が成立するまでの間は、第１の照明装置１１ａは消灯し、各リール９ａ，９ｂ，９ｃの周面には第２の照明装置１１ｂによる照明光のみが照射されるので、比較的暗い照明状態となる。従って遊戯者は、明るい照明状態から暗い照明状態に変わったとき、抽選が当たっていることを認識できる。」、
「【００５７】なお、上記の各実施例では、抽選処理により抽選が当たったとき、第１の照明装置１１ａを消灯させたり、点灯と消灯を交互に切り換えたりするなどして、抽選当りを遊戯者へ報知しているが、この発明はこれに限らず、抽選が当たる前の照明状態と異なる照明状態に移行するのであれば、どのような照明制御方法であってもよい。さらに、抽選処理による当たりが、大当たりと小当たりの如く複数種の当たりが設定されている場合、照明系を間欠的に消灯するときの消灯時間の長さを異ならせるなどして、遊戯者に当たりの種類も知らせるようにしてもよい。」。
　上記記載及び図面（とくに【図３】(4)）の記載及び技術常識からみて、上記先願明細書には、
　「リールと、
　前記リールを照明する照明系１１と、
　前記リール及び前記照明系１１を制御する制御部２０とを備え、
　前記照明系１１には、異なる色の光を発する発光ダイオードからなる第１の照明装置１１ａ及び第２の照明装置１１ｂを含み、
　前記制御部２０には、遊技状態を判定する手段を含む、スロットマシンにおいて、
　前記制御部２０には、前記遊技状態を判定する手段の判定結果にもとづいて、少なくとも第１の照明装置１１ａを抽選当たりで点灯と消灯を交互に切り換える手段を含むと共に、
　抽選処理による当たりが、大当たりと小当たりの如く複数種の当たりが設定されている場合、照明系１１を間欠的に消灯するときの消灯時間の長さを異ならせる手段を含み、
　前記遊技状態を判定する手段によって、ボーナス入賞が成立しボーナスゲームへ移行する際に、第１の照明装置１１ａを点灯させるように形成したスロットマシン。」の発明（以下、「先願発明」という。）が記載されていると認められる。
　
(3)対比・判断
　そこで、補正後の請求項１に係る発明（以下、「本願補正発明１」という。）と先願発明とを対比すると、先願発明の「リール」、「照明系１１」、「制御部２０」が、それぞれ、補正発明１の「リールユニット」、「リール照明装置」、「遊技制御装置」に相当し、先願発明の「発光ダイオードからなる第１の照明装置１１ａ及び第２の照明装置１１ｂ」と補正発明１の「冷陰極管」とは、「照明部」である点で共通し、先願発明が、遊技制御装置（制御部２０）に「遊技状態判定手段」、「照明点滅手段」及び「点滅間隔変更手段」を備えることは明らかであり、先願発明は、遊技状態判定手段によって、ボーナス入賞が成立しボーナスゲームへ移行する際に、第１の照明装置１１ａを点灯させるようにしたから、本願補正発明１と同様に「少なくとも遊技状態判定手段によって、ボーナスゲームへ移行する際に、照明点灯手段を作動させるように形成した」ものであるということができるから、両者は、
　「リールユニットと、
　前記リールユニットを照明するリール照明装置と、
　前記リールユニット及び前記リール照明装置を制御する遊技制御装置とを備え、
　前記リール照明装置には、異なる色の複数本の照明部を含み、
　前記遊技制御装置には、遊技状態を判定するための遊技状態判定手段を含むスロットマシンにおいて、
　前記遊技制御装置には、前記遊技状態判定手段の判定結果にもとづいて、前記複数本の照明部のうち、少なくとも１本の照明部を点滅させ、遊技状態を遊技者に報知するための照明点滅手段を含むと共に、
　前記照明点滅手段による前記照明部の点滅間隔を変化させるための点滅間隔変更手段を含み、　少なくとも遊技状態判定手段によって、ボーナスゲームへ移行する際に、照明点灯手段を作動させるように形成したスロットマシン。」である点で一致し、次の点で一応相違する。
（相違点１）
　照明部が、補正発明１は「冷陰極管」であるのに対し、先願発明は「発光ダイオード」である点。
（相違点２）
　補正発明１が、「ビッグボーナスゲームへ移行するフラグが立った際に、照明点灯手段を作動させる」のに対し、先願発明は、「ボーナスゲームへ移行する際に、照明点灯手段を作動させる」点。
　
　上記相違点１を検討すると、スロットマシンの遊技機等において、冷陰極管を点滅させる照明点滅手段を設けることは、周知慣用であるから（特開平７−２６５５１３号公報の段落【００２３】、実願平３−１０７７２３号（実開平５−５３６８８号）のＣＤ−ＲＯＭの段落【００３０】及び特開平８−３３７６７号公報の段落【０００１】等参照）、照明部として冷陰極管を設けることは、先願明細書に記載されているに等しい事項である。
　
　上記相違点２を検討すると、先願明細書の段落【００５７】には、「・・・抽選処理による当たりが、大当たりと小当たりのごとく複数種の当たりが設定されている・・・」と記載されており、大当たりにビッグボーナスが含まれることは技術常識である。また、ゲームの遊技状態において必要に応じフラグを立てることは特開平９−２７６４７８等にみられるように周知慣用であるから、「ビッグボーナスゲームへ移行するフラグが立った際に、照明点灯手段を作動させる」ことは、先願明細書に記載されているに等しい事項である。
　
　したがって、本願補正発明１は、その出願の日前の他の特許出願であつて当該特許出願後に発行された先願発明と実質的に同一であり、しかも、その発明をした者が当該特許出願に係る発明の発明者と同一でなく、当該特許出願の時にその出願人と当該他の特許出願の出願人とが同一の者でもないから、その発明については、特許を受けることができない。
　
(4)むすび
　以上のとおりであるから、上記補正は、特許法第１７条の２第４項第２号に規定された特許請求の範囲の減縮を目的とするところ、補正後の発明が、その特許出願の際、独立して特許を受けることができないから、本件補正は、平成１５年改正前特許法第１７条の２第５項において準用する同法第１２６条第４項の規定に違反するものであり、特許法第１５９条第１項において読み替えて準用する特許法第５３条第１項の規定により却下されるべきものである。
　
３．本願発明１
　平成１３年８月８日付けの手続補正が上記のとおり却下されたので、本願の請求項１及び２に係る発明のうち、その請求項１に係る発明（以下、「本願発明１」という。）は、平成１３年２月２６日付け手続補正書により補正された明細書及び図面の記載からみて、その請求項１に記載された事項により特定される次のとおりのものである。
　「【請求項１】　リールユニットと、
　前記リールユニットを照明するリール照明装置と、
　前記リールユニット及び前記リール照明装置を制御する遊技制御装置とを備え、
　前記リール照明装置には、異なる色の複数本の冷陰極管を含み、
　前記遊技制御装置には、遊技状態を判定するための遊技状態判定手段を含むスロットマシンにおいて、
　前記遊技制御装置には、前記遊技状態判定手段の判定結果にもとづいて、前記複数本の冷陰極管のうち、少なくとも１本の冷陰極管を点滅させ、遊技状態を遊技者に報知するための照明点滅手段を含む
と共に、　前記照明点滅手段による前記冷陰極管の点滅間隔を変化させるための点滅間隔変更手段を含む
　
４．刊行物の記載内容
　これに対して、原審の拒絶の理由に引用され、本願の出願前に頒布された特開平６−１０５９４３号公報（以下、「刊行物」　という。）には、次のことが記載されている。
「【０００４】【発明が解決しようとする課題】前記シンボル表示窓の部分は、専らシンボルを表示するだけの働きしかなく、しかも構造上、変化に富んだシンボルの表示を行うことは困難である。ところで、この種の遊戯機は、遊戯者のゲームに対する気分を高める必要があるため、スロットマシンについては、リール表示窓の真上位置に表示パネルを設け、その表示パネルの背後に複数のランプを配置して適時点灯または点滅動作させることにより、遊戯者のゲームに対する気分を盛り上げるようにしている。」、
「【００２７】図７，８のように、蓄光インキおよび蛍光インキの２種類のインキが用いられる場合は、図９（１）（２）に示すごとく、白色ランプ２０と紫外線ランプ２１とをそれぞれ、リール表示窓３の上下位置に設置する。【００２８】これらランプのうち、白色ランプ２０は電源がオンの状態で常時点灯させるが、紫外線ランプ２１は、後述する制御部２５からの指令に応じて、適時点灯・消灯動作させる。なお白色ランプ２０も紫外線ランプ２１と同様、適時点灯させるようにしてもよい。」、
「【００３３】図１１は、リールに蛍光インキが用いられた実施例（図５，６，７，８）について、制御部２５による制御手順をステップ１（図中「ＳＴ１」で示す）〜ステップ１５で示す。・・・【００３４】メダルの投入が行われ・・・始動レバー５が操作されると・・・すべてのリール１ａ，１ｂ，１ｃを一斉に始動させ、紫外線ランプ２１の点灯、消灯をランダムに繰り返す（ステップ３，４）。【００３５】・・・第１のリール１ａの停止スイッチ６ａが押操作されると、・・・リール１ａを停止させる。【００３６】同様に、第２のリール１ｂの停止スイッチ６ｂが押操作されたときはステップ６が、第３のリール１ｃの停止スイッチ６ｃが押操作されたときはステップ７が、それぞれ「ＹＥＳ」となり、ＣＰＵ２６は対応するリール１ｂ，１ｃを停止させる（ステップ９，１０）。【００３７】すべてのリール１ａ，１ｂ，１ｃが停止すると、・・・紫外線ランプ２１，２１を点灯させた後、ステップ１３でいずれか有効ラインに入賞にかかるシンボルの組み合わせが成立しているかどうかを判定する。【００３８】入賞が成立していればこの判定は「ＹＥＳ」となり、ＣＰＵ２６はつぎのステップ１４で、メダル払出口１２より所定の枚数のメダルを払い出した後、ステップ１５で各リール１ａ，１ｂ，１ｃの紫外線ランプ２１，２１を消灯する。」、
「【００３９】なお、上記の例では各リール１ａ，１ｂ，１ｃの回転時および停止時に紫外線ランプ２１を点灯動作させているが、これに限らず、各リールに入賞にかかるシンボルの組合せが成立したときに紫外線ランプ２１を点灯して蛍光インキによる着色部分を発光させてもよい。」。
　
　上記記載及び図面の記載からみて、刊行物には、
　「リールと、
　前記リールを照明するリール照明装置と、
　前記リール及び前記リール照明装置を制御する制御部２５とを備え、
　前記リール照明装置には、白色ランプ２０及び紫外線ランプ２１を含み、
　前記制御部２５には、遊技状態を判定する手段を含むスロットマシンにおいて、
　各リールに入賞に係るシンボルの組合せが成立したときに、紫外線ランプ２１を点灯し、遊技者に報知するようにしたスロットマシン。」の発明が記載されていると認められる。
　
５．対比・判断
　本願発明１と上記刊行物記載の発明とを対比すると、刊行物記載の発明の「リール」、「制御部２５」が、それぞれ、本願発明１の「リールユニット」、「遊技制御装置」に相当し、本願発明１の「冷陰極管」と刊行物記載の発明の「白色ランプ２０及び紫外線ランプ２１」とは、「照明部」である点で共通し、上記刊行物には、遊技制御装置に「遊技状態判定手段」が含まれることは明らかであるから、両者は、
　「リールユニットと、
　前記リールユニットを照明するリール照明装置と、
　前記リールユニット及び前記リール照明装置を制御する遊技制御装置とを備え、
　前記リール照明装置には、複数本の照明部を含み、
　前記遊技制御装置には、遊技状態を判定するための遊技状態判定手段を含むスロットマシンスロットマシン。」である点で一致し、次の点で相違する。
（相違点１）
　複数本の照明部は、本願発明１が、「異なる色」であるのに対し、刊行物記載の発明は「白色ランプ２０及び紫外線ランプ２１」である点。
（相違点２）
　本願発明１が、照明部が「冷陰極管」であり、「前記遊技制御装置には、前記遊技状態判定手段の判定結果にもとづいて、前記複数本の冷陰極管のうち、少なくとも１本の冷陰極管を点滅させ、遊技状態を遊技者に報知するための照明点滅手段を含むと共に、前記照明点滅手段による前記冷陰極管の点滅間隔を変化させるための点滅間隔変更手段を含む」のに対し、刊行物記載の発明は、遊技状態判定手段の判定結果にもとづいて（各リールに入賞に係るシンボルの組合せが成立したときに）、照明部（紫外線ランプ２１）を点灯し、遊技者に報知するようにしているが、照明点滅手段及び点滅間隔変更手段を備えていない点。
　
　上記相違点１を検討すると、刊行物記載の発明の「白色ランプ２０及び紫外線ランプ２１」自体は異なる色とはいえないが、これらランプによって、本願発明１と同様に遊技状態に応じてリールの色彩を変化させるものである。また、スロットマシンにおいて、リールユニットを照明する異なる色の照明部を備えることは、周知であるから（例えば、特開平５−２７７２４１号公報の段落【００２１】及び請求人が従来の技術として挙げた特開平９−２７１５５９号公報の段落【００２２】等参照）、上記刊行物記載の発明において、本願発明１の構成とすることは、当業者であれば容易に思い付くことである。
　
　上記相違点２を検討すると、スロットマシンの遊技機等において、冷陰極管を点滅させる照明点滅手段を設けることは、周知慣用である（特開平７−２６５５１３号公報の段落【００２３】、実願平３−１０７７２３号（実開平５−５３６８８号）のＣＤ−ＲＯＭの段落【００３０】及び特開平８−３３７６７号公報の段落【０００１】等参照）。また、スロットマシンの遊技機等において、点滅間隔変更手段を設けることも、周知慣用であり（特開平７−１９４７８０号公報の段落【００５１】ないし【００５９】、特開平８−１７３６１４号公報の段落【００２４】及び特開平９−３８２８３号公報の段落【００５６】ないし【００６１】等参照）、上記刊行物記載の発明に該周知技術を採用し、本願発明１の構成とすることは、当業者であれば容易に思い付くことである。
　
　したがって、本願発明１は、刊行物記載の発明及び周知技術に基いて当業者が容易に発明をすることができたものであり、このようにしたことによる格別の作用効果も認められない。
　
６．むすび
　以上のとおり、本願発明１は、刊行物記載の発明及び周知技術に基いて当業者が容易に発明をすることができたものであるから、特許法第２９条２項の規定により特許を受けることができず、本願の他の請求項に係る発明を検討するまでもなく、本願は拒絶をすべきものである。
　よって、結論のとおり審決する。